(57)【要約】      （修正有）【課題】リンク機構を備えたフェンス本体が回動可能で、フェンス本体を所定の位置に固定可能な伸縮フェンスを提供する。【解決手段】複数の第１のリンク部材と複数の第２のリンク部材を交差させて構成されるリンク機構をそれぞれ備えたｎ個のフェンス本体１０１、１０２と、隣接するフェンス本体１０１、１０２間に接続される（ｎ−１）本の第１の支柱１１２と、ｎ個のフェンス本体１０１、１０２の一方の端部のフェンス本体１０１が接続される第２の支柱１１１と、フェンス本体１０１、１０２の他方の端部のフェンス本体１０２が接続される第３の支柱１１３と、一方の端部に位置するフェンス本体１０１と第２の支柱１１１とを回動可能に接続する接続部材１８と、第１の支柱１１２の少なくとも一つを移動可能とする第１の移動部材１３と、第３の支柱１１３を移動可能とする第２の移動部材１３と、第１の支柱１１２の少なくとも一つを可動状態から固定状態とするための固定部材と、を備える。【選択図】図１
0003209531.tif 000002
【実用新案登録請求の範囲】
【請求項１】
複数の第１のリンク部材と複数の第２のリンク部材を交差させて構成されるリンク機構をそれぞれ備えたｎ個（ｎは２以上の自然数）のフェンス本体と、
前記ｎ個のフェンス本体の隣接するフェンス本体間に配置され、該隣接するフェンス本体がそれぞれ接続される（ｎ−１）本の第１の支柱と、
前記ｎ個のフェンス本体の一方の端部に位置するフェンス本体の、前記第１の支柱の接続側と反対側が接続される第２の支柱と、
前記ｎ個のフェンス本体の他方の端部に位置するフェンス本体の、前記第１の支柱の接続側と反対側が接続される第３の支柱と、
前記一方の端部に位置するフェンス本体と前記第２の支柱とを回動可能に接続する接続部材と、
前記（ｎ−１）本の第１の支柱の少なくとも一つの第１の支柱の下端に取り付けられ、該少なくとも一つの第１の支柱を移動可能とする第１の移動部材と、
前記第３の支柱の下端に取り付けられ、前記第３の支柱を移動可能とする第２の移動部材と、
前記（ｎ−１）本の第１の支柱の少なくとも一つの第１の支柱の下端に取り付けられ、該少なくとも一つの第１の支柱を可動状態から固定状態とするための固定部材と、
を備えた伸縮フェンス。
【請求項２】
前記固定部材は門落としである請求項１に記載の伸縮フェンス。
【請求項３】
前記第１及び第２の移動部材はキャスタである請求項１又は２に記載の伸縮フェンス。
【請求項４】
前記固定部材と前記第１の移動部材とが同一の前記第１の支柱に設けられている請求項１から３のいずれか１項に記載の伸縮フェンス。
【請求項５】
前記（ｎ−１）本の第１の支柱の少なくとも一つの第１の支柱と、該少なくとも一つの第１の支柱に接続される一又は二つのフェンス本体とが、回動可能に接続される請求項１から請求項４のいずれか１項に記載の伸縮フェンス。
【請求項６】
車庫、駐車場、又は店舗の門として用いた請求項１から５のいずれか１項に記載の伸縮フェンス。
【請求項７】
道路工事のガードフェンス若しくはバリケード、倉庫の扉、エレベータ修理個所のガードフェンス、又は家屋の扉として用いた請求項１から５のいずれか１項に記載の伸縮フェンス。
【考案の詳細な説明】
【技術分野】
【０００１】
本考案は、伸縮可能なリンク機構を備えた伸縮フェンスに関する。
【背景技術】
【０００２】
伸縮フェンスは伸縮ゲート、伸縮門扉とも呼ばれ、車庫、駐車場や店舗等の入口や出口に設けられる。
伸縮フェンスはパンタグラフ状に変形して伸縮が可能なリンク機構を組み合わせたもので、その構成は、例えば、特許文献１、特許文献２に記載されている。
特許文献１には、吊元框と引手框の間に伸縮することが出来るリンク機構を設けて床面を走行するキャスタを備えた伸縮ゲートが記載されている。特許文献２には互いに交差する一方側及び他方側リンク部材と、吊元框とを備えた伸縮ゲートが記載されている。
【先行技術文献】
【特許文献】
【０００３】
【特許文献１】特開２０１５−１０５５４６号公報
【特許文献２】特開２０１６−５６５４７号公報
【考案の概要】
【考案が解決しようとする課題】
【０００４】
特許文献１、特許文献２に記載された伸縮ゲートは、リンク機構を備え、キャスタにより移動可能な可動部が吊元框に接続されていれば安定するが、可動部が吊元框に接続されていない状態では可動部が固定されず、不安定な状態となる。
また、伸縮ゲートは最も縮めた状態でも一定の長さを必要とするために車庫、駐車場や店舗等の入口や出口の幅を狭めてしまう。
【０００５】
本考案は、リンク機構を備えたフェンス本体が回動可能で、固定支柱に接続されていなくとも、フェンス本体を所定の位置に固定可能な伸縮フェンスを提供することを目的とする。
【課題を解決するための手段】
【０００６】
（１）  本考案に係る伸縮フェンスは、複数の第１のリンク部材と複数の第２のリンク部材を交差させて構成されるリンク機構をそれぞれ備えたｎ個（ｎは２以上の自然数）のフェンス本体と、
前記ｎ個のフェンス本体の隣接するフェンス本体間に配置され、該隣接するフェンス本体がそれぞれ接続される（ｎ−１）本の第１の支柱と、
前記ｎ個のフェンス本体の一方の端部に位置するフェンス本体の、前記第１の支柱の接続側と反対側が接続される第２の支柱と、
前記ｎ個のフェンス本体の他方の端部に位置するフェンス本体の、前記第１の支柱の接続側と反対側が接続される第３の支柱と、
前記一方の端部に位置するフェンス本体と前記第２の支柱とを回動可能に接続する接続部材と、
前記（ｎ−１）本の第１の支柱の少なくとも一つの第１の支柱の下端に取り付けられ、該少なくとも一つの第１の支柱を移動可能とする第１の移動部材と、
前記第３の支柱の下端に取り付けられ、前記第３の支柱を移動可能とする第２の移動部材と、
前記（ｎ−１）本の第１の支柱の少なくとも一つの第１の支柱の下端に取り付けられ、該少なくとも一つの第１の支柱を可動状態から固定状態とするための固定部材と、
を備えた伸縮フェンスである。
【０００７】
（２）  上記（１）の伸縮フェンスは、前記固定部材は門落としであることが好ましい。
（３）  上記（１）又は（２）の伸縮フェンスは、前記第１及び第２の移動部材はキャスタであることが望ましい。
（４）  上記（１）から（３）のいずれかの伸縮フェンスは、前記固定部材と前記第１の移動部材とが同一の前記第１の支柱に設けられていることが望ましい。
（５）  上記（１）から（４）のいずれかの伸縮フェンスは、前記（ｎ−１）本の第１の支柱の少なくとも一つの第１の支柱と、該少なくとも一つの第１の支柱に接続される一又は二つのフェンス本体とが、回動可能に接続されることが望ましい。
（６）  上記（１）から（５）のいずれか伸縮フェンスは、車庫、駐車場、又は店舗の門として用いることができる。
（７）  上記（１）から（５）のいずれか伸縮フェンスは、道路工事のガードフェンス若しくはバリケード、倉庫の扉、エレベータ修理個所のガードフェンス、又は家屋の扉として用いることができる。
【考案の効果】
【０００８】
本考案によれば、リンク機構を備えたフェンス本体が回動可能で、固定支柱に接続されていなくとも、フェンス本体を所定の位置に固定可能な伸縮フェンスを提供することができる。
【図面の簡単な説明】
【０００９】
【図１】本考案の一実施形態の伸縮フェンス及び伸縮フェンスが装着される固定支柱を示す斜視図である。
【図２】本考案の一実施形態の伸縮フェンス及び伸縮フェンスが装着される固定支柱を示す正面図である。
【図３】本考案の一実施形態の伸縮フェンスが固定支柱に装着された状態を示す正面図である。
【図４】本考案の一実施形態の伸縮フェンスの動作を説明するための説明図である。
【図５】本考案の一実施形態の伸縮フェンスを道路工事のガードフェンスに用いた例を示す説明図である。
【図６】本考案の一実施形態の伸縮フェンスを倉庫の扉に用いた例を示す説明図である。
【図７】本考案の一実施形態の伸縮フェンスをエレベータ修理個所のガードフェンスに用いた例を示す説明図である。
【図８】本考案の一実施形態の伸縮フェンスを家屋の扉に用いた例を示す説明図である。
【図９】本実施形態の伸縮フェンスの分解斜視図である。
【図１０】２つのリンク部材を示す斜視図である。
【図１１】２つのリンク部材の接続方法を示す斜視図である。
【図１２】伸縮可能なリンク機構を備えたフェンス本体を示す正面図である。
【考案を実施するための形態】
【００１０】
以下、本考案の実施形態について図面を用いて詳細に説明する。
図１は本考案の一実施形態の伸縮フェンス及び伸縮フェンスが装着される固定支柱を示す斜視図である。図２は本考案の一実施形態の伸縮フェンス及び伸縮フェンスが装着される固定支柱を示す正面図である。図３は本考案の一実施形態の伸縮フェンスが固定支柱に装着された状態を示す正面図である。図４は本考案の一実施形態の伸縮フェンスの動作を説明するための説明図である。図５〜図８は本考案の一実施形態の伸縮フェンスの利用例を示す図である。図９は本実施形態の伸縮フェンスの分解斜視図である。図１０は２つのリンク部材を示す斜視図である。
【００１１】
図１及び図２に示すように、本考案の一実施形態の伸縮フェンスは、逆「Ｔ」字型の支柱１１１、１１２、１１３と、支柱１１１及び支柱１１２に接続される、伸縮可能なフェンス本体１０１と、支柱１１２及び支柱１１３に接続される、伸縮可能なフェンス本体１０２とを備えている。
本実施形態において、ｎ個（ｎは２以上の自然数）のフェンス本体は２つのフェンス本体１０１、１０２に対応し（ｎ＝２としている）、複数の第１のリンク部材は角パイプ１に対応し、複数の第２のリンク部材は角パイプ２に対応している。フェンス本体１０１、１０２はそれぞれ複数の角パイプ１と複数の角パイプ２を交差させて構成されるリンク機構をそれぞれ備えている。フェンス本体１０１は、２つのフェンス本体１０１、１０２の一方の端部（図１中の左側）に位置し、フェンス本体１０２は、２つのフェンス本体１０１、１０２の他方の端部（図１中の右側）に位置する。
【００１２】
また、（ｎ−１）本の第１の支柱は支柱１１２に対応し（ｎ＝２としている）、第２の支柱は支柱１１１に対応し、第３の支柱は支柱１１３に対応している。支柱１１２は隣接するフェンス本体１０１、１０２の間に配置され、フェンス本体１０１、１０２がそれぞれ接続される。支柱１１１は２つのフェンス本体１０１、１０２の一方の端部（図１中の左側）に位置するフェンス本体１０１の、支柱１１２の接続側と反対側が接続される。支柱１１３は２つのフェンス本体１０１、１０２の他方の端部（図１中の右側）に位置するフェンス本体１０２の支柱１１２の接続側と反対側が接続される。
接続部材は蝶番１８，１９に対応し、フェンス本体１０１と支柱１１１とを回動可能に接続する。接続部材はフェンス本体１０１と支柱１１１とを回動可能であればよく、蝶番に限定されない。第１及び第２の移動部材はキャスタ１３に対応し、キャスタ１３は支柱１１２、１１３の下端にそれぞれ２個取り付けられ、支柱１１２、１１３を移動可能とする。
固定部材は門落とし２１に対応し、門落とし２１は支柱１１２の下端に取り付けられ、支柱１１２を可動状態から固定状態とする。固定状態から可動状態に復帰させることも可能である。門落とし２１の棒が土台の受け穴に挿入されることで支柱１１２が固定される。固定部材は、支柱１１２を可動状態から固定状態とできればよく、門落としに限定されない。
【００１３】
本実施形態では支柱１１２にのみ門落とし２１を設けているが、支柱１１３のみ又は支柱１１２と１１３とに門落とし２１を設けてもよい。門落とし２１を支柱１１２、１１３に設ければ、固定する支柱を任意に選択することができる。
本実施形態の伸縮フェンスは、支柱１１１を固定し、フェンス本体１０１、１０２の伸縮により支柱１１１と支柱１１３との間隔を変えることができる。また、本実施形態の伸縮フェンスは、門落とし２１により支柱１１２を固定し、フェンス本体１０２の伸縮により支柱１１２と支柱１１３との間隔を変えることができる。
【００１４】
図１に示すように、本実施形態では、固定部材としての門落とし２１と、第１の移動部材としてのキャスタ１３とは同一の支柱１１２に設けられているが、フェンス本体が３つ以上（ｎが３以上の自然数）の場合には、門落とし２１を設ける第１の支柱とキャスタ１３を設ける第１の支柱とが同じでも異なっていてもよい。キャスタ１３は第１の支柱に全て取り付ける必要はないが、キャスタ１３を取り付ける第１の支柱を増やすほど伸縮フェンスの伸縮が容易となる。
【００１５】
本実施形態では、接続部材としての蝶番１８，１９は支柱１１１とフェンス本体１０１との接続に用いているが、蝶番１８，１９を支柱１１２とフェンス本体１０１との接続、支柱１１２とフェンス本体１０２との接続、及び支柱１１３とフェンス本体１０２との接続のいずれか又は複数の接続に用いてもよい。
本実施形態の伸縮フェンスは特に用途が限定されるものでないが、車庫、駐車場、又は店舗の門として特に好適に用いることができる。
【００１６】
図９に示すように、支柱１１１の底部には「Ｌ」字型金属片１４が接続され、コンクリート等の土台に固定可能となっている。支柱１１２、１１３はキャスタ１３により移動可能で、図３に示すように、支柱１１３を固定支柱１１４に掛金２０により接続可能となっている。
【００１７】
本実施形態の伸縮フェンスは、支柱１１１とフェンス本体１０１とが蝶番１８、１９で接続され、フェンス本体１０１、支柱１１２、フェンス本体１０２、及び支柱１１３を支柱１１１に対して回動させることができる。本実施形態の伸縮フェンスを駐車場の門（ゲート）に用いると、図４（Ａ）に示すように、逆「Ｔ」字型の支柱１１１、１１２、１１３を並べるように配置すると、伸縮フェンスと固定支柱との間は、支柱１１３と固定支柱１１４との間の間隔となり、車は通れないが、人は通過可能となる。一方、図４（Ｂ）に示すように、フェンス本体１０１、支柱１１２、フェンス本体１０２、及び支柱１１３を支柱１１１に対して回動させると、伸縮フェンスと固定支柱との間は、ほぼ支柱１１１と固定支柱１１４との間の間隔となり、車を通過可能とすることができる。
なお、フェンス本体１０１、１０２を縮めることで、支柱１１３と固定支柱１１４との間隔を縮めることも可能であるが、フェンス本体１０１、１０２の縮み幅には限界がある。本実施形態のように、フェンス本体１０１、支柱１１２、フェンス本体１０２、及び支柱１１３を支柱１１１に対して回動させることで、伸縮フェンスと固定支柱との間隔をほぼ支柱１１１と固定支柱との間隔に広げることができる。
【００１８】
本実施形態では、蝶番１８、１９を支柱１１１とフェンス本体１０１との接続に用いているが、蝶番１８、１９をフェンス本体１０１と支柱１１２との接続、又は支柱１１２とフェンス本体１０２との接続に用いれば、フェンス本体１０１に対してフェンス本体１０２を回動することができる。
【００１９】
門落とし２１を支柱１１２に設けて支柱１１２を固定し、蝶番１８、１９を支柱１１２とフェンス本体１０２との接続に用いて、フェンス本体１０１に対してフェンス本体１０２を９０度回転させれば、本実施形態の伸縮フェンスをＬ字型の伸縮フェンスとして用いることができる。例えば、駐車場の角に支柱１１２の門落とし２１で支柱１１２を固定し、支柱１１２とフェンス本体１０２との間の蝶番１８、１９でフェンス本体１０２をフェンス本体１０１に対して９０度となるように配置すれば、駐車場の角に用いられるＬ字型の伸縮フェンスとして用いることができる。この場合、駐車場の角に固定支柱を立てる必要がなく、伸縮フェンスの撤去も容易で駐車場を有効活用することができる。
【００２０】
本実施形態の伸縮フェンスは、車庫、駐車場、又は店舗の門に限らず、道路工事のガードフェンスやバリケード、倉庫の扉、エレベータ修理個所のガードフェンス、又は別荘等の家屋の扉にも好適に用いることができる。
【００２１】
図５は、本考案の一実施形態の伸縮フェンスを道路工事のガードフェンスに用いた例を示す説明図である。図５に示すように、伸縮フェンス３０１、３０２、３０３は２車線の道路の一方の車線側の道路の工事個所を囲うように配置され、道路工事のガードフェンスとして用いられている。「Ｌ」字型金属片１４や門落とし２１を道路に接するようにすれば、伸縮フェンス３０１、３０２、３０３は摩擦力によって道路へ固定される。「Ｌ」字型金属片１４の下端は道路面に対して高さが調整可能なようにされ、キャスタ１３を用いて移動させるときには、「Ｌ」字型金属片１４の下端を道路面に接しないように上げる。
【００２２】
図６は、本考案の一実施形態の伸縮フェンスを倉庫の扉に用いた例を示す説明図である。図６に示すように、倉庫の入口には固定支柱１１４が設けられ、伸縮フェンス４０１の支柱１１３は固定支柱１１４に取り付けることで、入口を塞ぐことができる。なお図６では倉庫の屋根は省略されている。
【００２３】
図７は、本考案の一実施形態の伸縮フェンスをエレベータ修理個所のガードフェンスに用いた例を示す説明図である。図７に示すように、エレベータを修理する場合にエレベータの前に伸縮フェンス５０１を配置することで、利用者が近付かないようにすることができる。「Ｌ」字型金属片１４や門落とし２１を床に接するようにすれば、伸縮フェンス５０１は摩擦力によって床に固定される。「Ｌ」字型金属片１４の下端は床面に対して高さが調整可能なようにされ、キャスタ１３を用いて移動させるときには、「Ｌ」字型金属片１４の下端を床面に接しないように上げる。なお、固定支柱１１４は設けなくともよいが、床に固定支柱１１４をボルト等で固定できるようにすれば、より強固に床に伸縮フェンス５０１を固定することができる。
【００２４】
図８は、本考案の一実施形態の伸縮フェンスを家屋の扉に用いた例を示す説明図である。図８に示すように、別荘等の家屋の門には固定支柱１１４が設けられ、伸縮フェンス６０１の支柱１１３を固定支柱１１４に取り付けることで、入口を塞ぐことができる。伸縮フェンスと固定支柱との間は、支柱１１３と固定支柱１１４との間の間隔となり、伸縮フェンス６０１を伸縮することで、車や人が通れるようにすることができる。
【００２５】
以下、図９〜図１２を用いて、更に伸縮フェンスの構成について説明する。
図１１は２つのリンク部材の接続方法を示す斜視図である。図１２は伸縮可能なリンク機構を備えたフェンス本体を示す正面図である。
図９に示すように、支柱１１１、１１２、１１３はそれぞれ、アルミニウム等からなる縦角パイプ８、アルミニウム等からなる横角パイプ１２、及び縦角パイプ８と横角パイプ１２とを接続する「コ」の字状の接続部材１５とを備えている。
【００２６】
支柱１１１及び１１３の縦角パイプ８には取手９が取り付けられ、フェンス本体１０１、１０２を伸縮させて支柱１１１及び１１３が移動しやすいように構成されている。
支柱１１１及び１１３の横角パイプ１２には、固定部材としての「Ｌ」字型の金属片１４がネジ１６で装着可能となっている。「Ｌ」字型の金属片１４により土台の固定可能となっている。支柱１１３において、キャスタ１３を用いる場合には、「Ｌ」字型の金属片１４が土台に触れないように取り付けられる。
縦角パイプ８の上端には樹脂キャップ２４、横角パイプ１２の両端にはそれぞれ樹脂キャップ２２が取り付けられている。支柱１１１にはキャスタ１３の取り付け用の穴が設けられており、ここではキャスタ１３を取り付けていないためキャップ２３で穴を埋めている。
【００２７】
支柱１１２とフェンス本体１０１との接続、支柱１１２とフェンス本体１０２、及び支柱１１３とフェンス本体１０２との接続には、それぞれＬ字型の金具１０、１１が用いられる。既に説明したように、支柱１１２とフェンス本体１０１との接続、支柱１１２とフェンス本体１０２との接続、及び支柱１１３とフェンス本体１０２との接続のいずれか又は複数の接続に、Ｌ字型の金具１０、１１の代わりに蝶番１８，１９を用いてもよい。
支柱１１２の下部に取り付けられた門落とし２１の棒は横角パイプ１２に設けられた穴を通して貫通可能となっており、土台の受け穴に挿入される。門落とし２１の棒が土台の受け穴に挿入されることで支柱１１２が固定される。
固定支柱１１４はネジで土台に固定可能となっている。
【００２８】
フェンス本体１０１は図１０〜図１２に示すように、断面が長方形の角パイプ１と長方形の角パイプ２とが伸縮可能なリンク機構を構成する。角パイプ１と角パイプ２とはリンク部材となる。図１０に示すように、角パイプ１には樹脂キャップ３が被せられ、角パイプ２には樹脂キャップ４が被せられる。図１１に示すように、角パイプ１と角パイプ２との接続はピン部材７と、スペーサ６、受け部材５とで行われ、ピン部材７のピンが受け部材５の空穴に挿入されることで、角パイプ１と角パイプ２とは回動可能に接続される。複数の角パイプ１と複数の角パイプ２を交差させてリンク機構が構成される。
【００２９】
左斜め方向に配列された複数の角パイプ１は、右斜め方向に配列された複数の角パイプ２と回動可能に接続される。図１２に示すように、１本の角パイプ１は４本の角パイプ２と一方の端部から他方の端部にかけて４か所で回動可能に接続され、１本の角パイプ２は４本の角パイプ１と一方の端部から他方の端部にかけて４か所で回動可能に接続される。ここではリンク部材として角パイプを用いているが、断面形状は楕円形でも円形でもよい。
【００３０】
図１２に示すように、フェンス本体１０１の右側端部（一方の端部）は、角パイプ１の長さのほぼ１／３の長さの角パイプ１Ｒと、角パイプ２の長さのほぼ２／３の長さの角パイプ２Ｒとが回動可能に接続され、この接続部分はボルト、ワッシャ、ナットからなる接続部品１７で、Ｌ字型の金具１０に接続される。角パイプ１Ｒに隣接する角パイプ１の下端部はボルト、ワッシャ、ナットからなる接続部品１７で、角パイプ２ではなくＬ字型の金具１１に回動可能に接続される。フェンス本体１０２はフェンス本体１０１と同様に接続される。
【００３１】
また、フェンス本体１０１の左側端部（他方の端部）は、角パイプ２の長さのほぼ１／３の長さの角パイプ２Ｌと、角パイプ１の長さのほぼ２／３の長さの角パイプ１Ｌとが回動可能に接続され、この接続部分はボルト、ワッシャ、ナットからなる接続部品１７で、蝶番１８に接続される。角パイプ２Ｌに隣接する角パイプ２の下端部はボルト、ワッシャ、ナットからなる接続部品１７で、角パイプ１ではなく蝶番１９に回動可能に接続される。フェンス本体１０２は蝶番１８，１９を金具１０、１１に置き換える点を除いてフェンス本体１０１と同様に接続される。
なお、ここでは、角パイプ１、２（角パイプ１Ｒ、１Ｌ、２Ｒ、２Ｌを除く）の本数はそれぞれ５本としているが、フェンス本体１０１において伸縮する範囲によって角パイプ１、２のそれぞれの本数を１〜４本のいずれか、又は６本以上としてもよい。
【符号の説明】
【００３２】
１、２  角パイプ１
３、４  樹脂キャップ
５  受け部材
６  スペーサ
７  ピン部材
８  縦角パイプ
９  取手
１０、１１  Ｌ字型金具
１２  横角パイプ
１３  キャスタ
１４  Ｌ字型の固定部材
１８、１９  蝶番
２０  掛金
２１  門落とし
１０１、１０２  フェンス本体
１１１、１１２、１１３  支柱
１１４  固定支柱
【図１】
0003209531.tif 000003
【図２】
0003209531.tif 000004
【図３】
0003209531.tif 000005
【図４】
0003209531.tif 000006
【図５】
0003209531.tif 000007
【図６】
0003209531.tif 000008
【図７】
0003209531.tif 000009
【図８】
0003209531.tif 000010
【図９】
0003209531.tif 000011
【図１０】
0003209531.tif 000012
【図１１】
0003209531.tif 000013
【図１２】
0003209531.tif 000014